(57)【要約】【課題】スクロール表示させても認識しやすい表示装置のスクロール表示方法を提供することを目的とする。【解決手段】上記目的を達成するために、本発明の表示装置のスクロール表示方法は、制御部２５が、表示データ情報部３２を参照し、スクロールさせる表示データか否かを判定し、その判定結果、表示データをスクロールさせる場合、Ｎ番目の文字コードを読み出し、次に、読み出された文字コードに対応するフォントデータをフォントデータ部３３から読み出し、読み出されたフォントデータに基づき、表示させ、次に、１列の未点灯の空白を挿入する。【選択図】図１
2006276135.tif 000002
【特許請求の範囲】
【請求項１】
複数のＬＥＤ発光素子からなる表示部と、前記複数のＬＥＤ発光素子の点滅制御を行なう制御部と、を備えた表示装置のスクロール表示方法であって、前記制御部は、前記表示部に複数の文字の表示データをスクロール表示させる際、前記表示データの個々の文字間に未点灯の空白を挿入しながら表示させることを特徴とする表示装置のスクロール表示方法。
【請求項２】
前記空白の大きさが可変であることを特徴とする請求項１記載の表示装置のスクロール表示方法。
【請求項３】
前記空白の大きさをスクロール速度によって変えることを特徴とする請求項１または２記載の表示装置のスクロール表示方法。
【発明の詳細な説明】
【技術分野】
【０００１】
本発明は、ＬＥＤ発光素子をマトリクス状に配置し、文字や図形を表示する表示装置に関し、特に表示内容をスクロールさせるスクロール表示方法に関する。
【背景技術】
【０００２】
従来から店の宣伝広告や企画情報などの情報をマトリクス状に配置されたＬＥＤ発光素子の点滅制御により表示する表示装置が店先や建物の壁面などに設置され、「営業中」などの固定表示の他、ニュースなどの長い文章の場合においては、文章を右から左へ流すことにより表示するスクロール表示が行なわれている。
【０００３】
図６は、このような従来の表示装置の内部ブロック図を示したものであり、図に示されるように、表示装置１は、複数のＬＥＤ発光素子からなる表示部２と、表示部２の個々のＬＥＤ発光素子を駆動する駆動部３と、プログラムや表示に必要な文字のフォントデータ等を格納する記憶部５と、プログラムに基づき表示部２の個々のＬＥＤ発光素子の点滅制御を行なう制御部７とを備えている。
【０００４】
以上の構成により、スクロール表示を行なう場合、制御部７は、記憶部５に記憶されている例えば、「営業中」などの表示データの個々の文字のＪＩＳコードから対応するフォントデータを表示部２に表示し、その後、表示部２の点滅対象のＬＥＤ発光素子を所定の時間で移動させながら表示するようにしている。
【０００５】
しかしながら、このようなスクロール表示の場合、人間の目の残像効果を利用しているので、スクロール速度によっては、文字自体が間延びして、見づらくなるという課題がある。
【０００６】
その対応としてスクロール速度を可変にし、輝度を調整する技術などが公開されている（例えば、特許文献１）。
【特許文献１】特開２００２−３７２９５０号公報
【発明の開示】
【発明が解決しようとする課題】
【０００７】
しかしながら、表示装置の表示内容は、文字サイズが大きいほど認識範囲が広がるため、例えば、１２×１２ドットを基準サイズとする表示装置の場合、フォントデータも１２×１２ドットのフルのデータを使用したほうが良いことになるが、従来の表示装置においては、表示文字が漢字のように複雑な場合、図７に示されるように、表示文字によって文字同士の間隔が無いため、観察者から見て見づらいという課題がある。
【０００８】
本発明は、前記課題に鑑み、表示装置の基準サイズに対し、表示文字を最大のフォントでスクロールした場合であっても、観察者から見た場合、個々の文字の認識をできる表示装置のスクロール表示方法を提供することを目的とする。
【課題を解決するための手段】
【０００９】
上記目的を達成するために、本発明の請求項１記載の発明は、複数のＬＥＤ発光素子からなる表示部と、前記複数のＬＥＤ発光素子の点滅制御を行なう制御部と、前記表示部に表示させる表示データ等を備える記憶部とを備えた表示装置の表示方法であって、前記制御部は、前記表示部に複数の文字の表示データをスクロール表示させる際、前記表示データの個々の文字間に未点灯の空白を挿入しながら表示する。
【００１０】
係る構成によれば、表示データの個々の文字間に空白が挿入され文字間の区切りが明確になるため、個々の文字が見やすくなる。
【００１１】
また、請求項２記載の発明は、請求項１記載の発明において、前記空白の大きさが可変である。
【００１２】
係る構成によれば、個々の文字の大きさと空白のバランスを調整することにより見やすくすることができる。
【００１３】
また、請求項３記載の発明は、請求項１または２記載の発明において、前記空白の大きさをスクロール速度によって変える。
【００１４】
係る構成によれば、例えば、スクロール速度が遅い場合は、空白を小さくし、スピードが速い場合は、空白を大きくすることにより、ＬＥＤ発光素子の発光による残像効果の影響を低減させることができ、更に見やすい表示をさせることができる。
【発明の効果】
【００１５】
本発明の表示装置のスクロール表示方法によれば、個々の文字間に未点灯の空白を挿入することにより、個々の文字の区切りが明確になるため、観察者から見た場合、認識しやすくなる。
【００１６】
また、本発明のスクロール表示方法によれば、個々の表示文字の間に挿入する空白を調整できるため、観察者に対し、認識しやすい表示を行なうことが可能になる。
【発明を実施するための最良の形態】
【００１７】
本発明の実施の形態について、図面を参照しながら説明する。
【００１８】
図１（ａ）は、本発明に係る表示装置の内部ブロック図を示す図である。
【００１９】
図１（ａ）に示されるように、表示装置２０は、複数のＬＥＤ発光素子からなる表示部２８と、表示部２８の個々のＬＥＤ発光素子を駆動する駆動部２７と、表示部２８のＬＥＤ発光素子の点滅制御を行なう制御部２５と、記憶部２２とを備えている。
【００２０】
ここで、記憶部２２は、制御部２５が動作するためのプログラム部３０と、プログラムを実行するときに使用する変数等を格納するワーク部３１と、「営業中」などの個々の文字コード等を格納する表示データ情報部３２と、文字コードに対応したフォントデータを格納したフォントデータ部３３と、を備えている。
【００２１】
表示データ情報部３２は、図１（ｂ）に示されるように、表示データをスクロールさせるか否かをフラグ形式で格納するスクロール情報部３２ａと、表示データの個々の文字をＪＩＳコード形式で格納する文字コード部３２ｂとからなる。
【００２２】
以上の構成による本発明の表示装置のスクロール表示方法について、図２のフローチャート図を基に説明する。
【００２３】
まず、制御部２５は、表示データ情報部３２を参照し、スクロールさせる表示データか否かを判定する（ステップＳ１）。
【００２４】
次に、ステップＳ１の結果、表示データをスクロールさせる場合、Ｎ番目の文字コードを読み出す（ステップＳ２）。
【００２５】
次に、読み出された文字コードに対応するフォントデータをフォントデータ部３３から読み出す（ステップＳ３）。
【００２６】
次に、読み出されたフォントデータに基づき、表示させる（ステップＳ４）。
【００２７】
次に、１列の未点灯の空白を挿入する（ステップＳ５）。
【００２８】
次に、表示データの全ての文字の表示が終了したか否かを判定し、終了していない場合は、ステップＳ１に戻る（ステップＳ６）。
【００２９】
また、ステップＳ１の判定の結果、スクロールさせる表示データで無い場合、固定文字の処理を行なう（ステップＳ８）。
【００３０】
図３は、以上の処理の流れを、「営業」という表示データを例にイメージ化した図であり、本発明の表示装置の表示方法によれば、図に示されるように、「営」のフォントデータ５０を表示した後、空白５２を表示し、次に、「業」のフォントデータ５３が表示される。
【００３１】
以上説明したように、本発明の表示装置の表示方法によれば、スクロールさせた場合においても、表示データの個々の文字間に未点灯の空白が挿入され文字間の区切りが明確になるため、観察者が認識しやすい。
【００３２】
なお、上記説明では、１列の空白を挿入することで説明したが、１列に限られるものではなく複数の列数であっても良く、表示される文字の大きさと空白のバランスを調整することにより見やすくすることができる。
【００３３】
また、図４に示されるように、表示データ情報部６０にスピード情報部６２を設け、制御部２５が、空白の列の列数をこの情報を基に設定することにより、スクロール速度によって、列数を変えることが可能になり、スピードが遅い場合は、空白の列数を少なくし、スピードが速い場合は、列数増やすことにより、ＬＥＤ発光素子の発光による残像効果の影響を低減させることができ、更に見やすい表示をさせることができる。
【００３４】
また、図５に示されるように、絵文字などのキャラクタデータにおいては、図には記載されていないが、表示データ情報部に文字データかキャラクタデータかを示すフラグを設け、キャラクタデータの場合は、空白の列を表示しないようにすることもできる。
【産業上の利用可能性】
【００３５】
本発明は、スクロールさせながら表示する表示装置の表示方法に有用な技術である。
【図面の簡単な説明】
【００３６】
【図１】（ａ）は、本発明に係る表示装置の内部ブロック図、（ｂ）は表示データ情報部の内部構成を示す図
【図２】本発明の表示装置のスクロール表示方法を示すフローチャート
【図３】本発明の表示装置のスクロール表示方法により表示したイメージ図
【図４】本発明に係る表示装置の表示データ情報部の内部構成を示す図
【図５】本発明の表示装置のスクロール表示方法により表示したイメージ図
【図６】従来の表示装置の内部ブロック図
【図７】従来の表示装置の表示内容を示すイメージ図
【符号の説明】
【００３７】
１、２０  表示装置
２、２８  表示部
【図１】
2006276135.tif 000003
【図２】
2006276135.tif 000004
【図３】
2006276135.tif 000005
【図４】
2006276135.tif 000006
【図５】
2006276135.tif 000007
【図６】
2006276135.tif 000008
【図７】
2006276135.tif 000009